(57)【要約】      （修正有）【課題】便座の座面に着脱自在に装着される便座シートにおいて、粘着力の低下を抑えつつ、無駄も少ない便座シートを提供する。【解決手段】便座シートは、ノの字型の左右一対で、線対称の部分１ａ，１ｂを有し、それぞれ、基材４と生地層５とを備えている。基材４は、その表裏両面に粘着層を有し、裏面側の粘着層を便座２の座面２１に貼付け、表面側の粘着層に生地層５を貼付ける。したがって、便座シートを、汚れや、気候の変化などに伴い、交換や廃棄をしようとしても、基材４は繰返し使用することができ、生地層５を洗濯しても、ほぼ同じ粘着力を発揮することができるとともに、クッション性や粘着力を有する該基材４の無駄を省くことができる。【選択図】図１
0003197997.tif 000002
【実用新案登録請求の範囲】
【請求項１】
便座の座面に着脱自在に装着される便座シートにおいて、
表裏両面に粘着層を有し、裏面側が前記便座の座面に装着される基材と、
裏面側に、前記粘着層に粘着され、かつ離反可能な接合膜を有し、該裏面側から前記基材の表面側に装着され、表面側が使用者の臀部に接触する生地層とを含むことを特徴とする便座シート。
【請求項２】
前記生地層の表面側から見て、該生地層に前記基材が隠れるように、該生地層が大きく形成されることを特徴とする請求項１記載の便座シート。
【請求項３】
前記基材および生地層は、その表面側から見て、左右一対で、線対称のノの字状に形成されることを特徴とする請求項１または２記載の便座シート。
【請求項４】
前記基材は、スポンジ、不織布またはフェルト、或いはそれらの組合わせから構成されることを特徴とする請求項１〜３の何れか１項に記載の便座シート。
【請求項５】
前記基材は、スポンジシートの表裏両面に、ポリウレタンフィルムが貼付けられて構成され、前記スポンジシートの厚みは、２〜３０ｍｍ、好ましくは３〜１０ｍｍであることを特徴とする請求項４記載の便座シート。
【請求項６】
前記粘着層は、ポリウレタン、アクリル樹脂、ポリアミンビニール樹脂、ホットメルト樹脂、シリコン樹脂、合成ゴムの何れか、またはそれらの組合わせから構成されることを特徴とする請求項１〜５の何れか１項に記載の便座シート。
【考案の詳細な説明】
【技術分野】
【０００１】
本考案は、便座シートに関し、特に便座の座面に着脱自在に装着されるものに関する。
【背景技術】
【０００２】
洋式便器の便座には、肌触りやクッション性などを持たせるために、従来から、カバーが被せられている。その便座カバーは、バンドや紐などで固定するものが多く、便座の天面から内外両側面まで覆うことが多い。
【０００３】
一方、近年では、温水洗浄便座が普及し、そのような便座の内周までを覆っているカバーでは、洗浄の際の飛沫が付着したりして、不衛生である。また、カバー自体を洗濯する際も、その脱着に、前記のバンドや紐を解いたり結んだりする必要があり、不便である。
【０００４】
そこで、便座カバーの裏面に、粘着性や吸着性を持たせて使用中にずれないようにし、座面の上面のみに着脱自在に装着される便座シートが、特許文献１などで提案されている。
【先行技術文献】
【特許文献】
【０００５】
【特許文献１】特開平８−２２４１９２号公報
【考案の概要】
【考案が解決しようとする課題】
【０００６】
そのような着脱自在の便座シートは、表面側が使用者の臀部に接触する表生地や、不織布などの裏面に、直接粘着層を設けている。その粘着層は、たとえばビニール発泡層あるいはＥＶＡ発泡層に、接着剤を加えて構成される。したがって、便座シートを、汚れや、気候の変化などに伴い、交換や廃棄する際は、粘着層ごと便座から引き剥がすことになる。そのため、洗濯によって粘着力の低下を招くことがあり、また廃棄の際は、粘着層も含めた総てを廃棄することになり無駄が多いという問題がある。
【０００７】
本考案の目的は、便座の座面に着脱自在に装着される便座シートにおいて、粘着力の低下を抑えつつ、無駄も少ない便座シートを提供することである。
【課題を解決するための手段】
【０００８】
本考案の便座シートは、便座の座面に着脱自在に装着される便座シートにおいて、表裏両面に粘着層を有し、裏面側が前記便座の座面に装着される基材と、裏面側に、前記粘着層に粘着され、かつ離反可能な接合膜を有し、該裏面側から前記基材の表面側に装着され、表面側が使用者の臀部に接触する生地層とを含むことを特徴とする。
【０００９】
上記の構成によれば、便座の座面に着脱自在に装着される便座シートにおいて、そのような着脱自在とするにあたって、従来は生地層の裏面に直接粘着層を設けているのに対して、本考案では、表裏両面に粘着層を有する基材を介在し、その基材を前記便座の座面に装着し、その基材の上面に生地層を貼付ける。
【００１０】
したがって、便座シートを、汚れや、気候の変化などに伴い、交換や廃棄する際は、従来では、粘着層ごと便座から引き剥がしているので、洗濯などによる粘着力の低下を招いたり、粘着層ごと総てを廃棄していたのに対して、本考案では、基材は繰返し使用することができ、生地層を洗濯しても、ほぼ同じ粘着力を発揮することができるとともに、クッション性や粘着力を有する基材の無駄を省くことができる。
【００１１】
また、本考案の便座シートでは、前記生地層の表面側から見て、該生地層に前記基材が隠れるように、該生地層が大きく形成されることを特徴とする。
【００１２】
上記の構成によれば、生地層が基材よりも、たとえば１周り大きく形成されるので、生地層の前記の交換や廃棄の際に、使用者は、該生地層の縁を捲り上げて、基材を押えつつ、該生地層を引っ張ってゆくことで、基材が剥がれることなく、該生地層のみを容易に引き剥がすことができる。
【００１３】
さらにまた、本考案の便座シートでは、前記基材および生地層は、その表面側から見て、左右一対で、線対称のノの字状に形成されることを特徴とする。
【００１４】
上記の構成によれば、基材における表裏両面の粘着層が同じもの（材料や製造工程が等しい）であったり、基材自体も全体が均一に形成されるなどして、基材の天地が任意である場合、ノの字状の単一の型を用いて２枚の基材を型抜きし、一方をひっくり返すことで、一対の便座シートのための基材を作成することができる。
【００１５】
したがって、型を共用し、コストを削減することができる。
【００１６】
また、本考案の便座シートでは、前記基材は、スポンジ、不織布またはフェルト、或いはそれらの組合わせから構成されることを特徴とする。
【００１７】
上記の構成によれば、通気性およびクッション性を持たせることができる。
【００１８】
特に好ましくは、前記基材は、スポンジシートの表裏両面に、ポリウレタンフィルムが貼付けられて構成され、前記スポンジシートの厚みは、２〜３０ｍｍ、好ましくは３〜１０ｍｍであることを特徴とする。
【００１９】
また好ましくは、前記粘着層は、ポリウレタン、アクリル樹脂、ポリアミンビニール樹脂、ホットメルト樹脂、シリコン樹脂、合成ゴムの何れか、またはそれらの組合わせから構成されることを特徴とする。
【００２０】
上記の構成によれば、基材自体も洗濯可能になる粘着層を実現することができる。
【考案の効果】
【００２１】
本考案の便座シートは、以上のように、便座の座面に着脱自在に装着される便座シートにおいて、表裏両面に粘着層を有する基材を用い、その基材を前記便座の座面に装着し、その基材の上面に生地層を貼付ける。
【００２２】
それゆえ、便座シートを、汚れや、気候の変化などに伴い、交換や廃棄する際に、基材は繰返し使用することができ、生地層を洗濯しても、ほぼ同じ粘着力を発揮することができるとともに、クッション性や粘着力を有する基材の無駄を省くことができる。
【図面の簡単な説明】
【００２３】
【図１】本考案の実施の一形態に係る便座シートの使用形態を示す斜視図である。
【図２】前記便座シートの構造を示す縦断面図である。
【図３】本考案の便座シートの便座への貼付けの様子を説明するための斜視図である。
【図４】本考案の便座シートにおける生地層の交換の様子を説明するための斜視図である。
【考案を実施するための形態】
【００２４】
図１は、本考案の実施の一形態に係る便座シート１の使用形態を示す斜視図である。  本考案の便座シート１は、大略ノの字型に形成される左右一対の部分１ａ，１ｂから構成され、便器３の便座２の座面２１に、着脱自在に装着されるものである。なお、本実施形態では、前記のように、便座シート１は、大略ノの字状の左右一対の部分１ａ，１ｂから構成されるが、便座２の形状に合わせて、部分１ａ，１ｂが前方で繋がったＵ字状や、後方でも繋がったＯ字状に形成されてもよい。
【００２５】
図２は、便座シート１の構造を示す縦断面図である。前記左右一対の部分１ａ，１ｂは、相互に対称な形状に構成されるだけであるので、断面構造は相互に等しい。本実施形態の便座シート１は、大略的に、基材４と、生地層５ａまたは５ｂ（以下、総称するときは参照符号５で示す）とを備えて構成される。基材４は、便座２の座面２１に装着され、その基材４上に生地層５が装着される。これらの基材４および生地層５は、洗濯可能である。
【００２６】
そのため、基材４は、その表裏両面に、粘着層または吸着層（以下、粘着層と言う）６，７を備える。また、基材４自体は、スポンジシート４１の表裏両面に、ポリウレタンフィルム４２，４３が貼付けられて構成される。スポンジシート４１に代えて、不織布、またはそれよりも厚くて密度の高いフェルトが用いられてもよい。スポンジシート４１の厚みは、所望とするクッション性を得ることができるとともに、材料コストを考慮して、２〜３０ｍｍ、好ましくは３〜１０ｍｍに形成される。そして、粘着層６，７は、ポリウレタン、アクリル樹脂、ポリアミンビニール樹脂、ホットメルト樹脂、シリコン樹脂、合成ゴムの何れか、またはそれらの組合わせから構成される。こうして、基材４自体も洗濯可能になる粘着層６，７が実現されている。
【００２７】
生地層５は、裁断などに強いベース層５１上に、生地本体５３が貼付けられて構成されている。ベース層５１は、ポリウレタンフィルムから成り、このポリウレタンフィルムが比較的厚い生地である生地層５ａの場合は、ベース層５１上に直接生地本体５３が貼付けられ、ポリウレタンフィルムが比較的薄い生地である生地層５ｂの場合は、ベース層５１と生地本体５３との間に、不織布５２の層が介在される。
【００２８】
生地層５は、ベース層５１の裏面側から基材４の表面側に装着され、生地本体５３の表面側が使用者の臀部に接触する。ベース層５１は、前記粘着層６との脱着に良好なように、その裏面側は前記ポリウレタンフィルムによって平滑な面に仕上げられて、前記粘着層６に粘着され、かつ離反可能な接合膜となっている。図１および図２の例では、生地本体５３は、起毛層である。生地本体５３は、他にもスポンジ層や不織布など、気候に適応して、また意匠に適応して、適宜選択可能であり、使用者の希望に応じて該生地層５を容易に交換できる点が、本考案の便座シート１の特徴である。
【００２９】
したがって、便座シートを便座２から着脱自在とするにあたって、従来は生地層５の裏面に直接粘着層を設けているのに対して、本実施形態の便座シート１は、上述のように表裏両面に粘着層６，７を有する基材４を介在し、図３（ａ）に示すように、その基材４を便座２の座面２１に装着し、図３（ｂ）から図３（ｃ）に示すように、その基材４の上面に、生地層５を貼付けている。
【００３０】
そのため、便座シートを、汚れや、気候の変化などに伴い、交換や廃棄する際は、従来では、粘着層ごと便座２から引き剥がしているので、洗濯などによる粘着力の低下を招いたり、粘着層ごと総てを廃棄していたのに対して、本実施形態の便座シート１では、基材４は繰返し使用することができ、生地層５を洗濯しても、ほぼ同じ粘着力を発揮することができるとともに、クッション性や粘着力を有する基材４の無駄を省くことができ、コストを抑えることができる。また、生地層５の脱着、すなわち洗濯が容易になるので、洗濯の頻度を高め、結果的に生地層５の寿命を延ばすこともできる。さらにまた、従来では、生地層を洗濯する際は粘着層も洗濯することになり、上述のような粘着力の低下に加えて、洗剤や紫外線などの影響で該粘着層が脆くなり、便座２から剥がした際に残ったりすることがあるのに対して、本実施形態では、そのような不具合も抑えることができる。
【００３１】
そして、生地層５は、その表面側から見て、該生地層５に基材４が隠れるように、たとえば１周り大きく形成される。これによって、使用者の肌が便座２に直接触れず、また基材４自体が汚れることを防止している。また、生地層５が１周り大きく形成されることで、生地層５の交換や廃棄の際に、使用者は、図１および図４（ａ）において部分１ａ側で示すように、該生地層５の縁５５を捲り上げて、基材４を押えつつ、該生地層５を引っ張ってゆくことで、基材４が便座２剥がれることなく、該生地層５のみを容易に引き剥がすことができる。図４は、生地層５の交換の様子を示しており、図４（ａ）は交換前の状態を示し、図４（ｂ）では向かって右側の部分１ａを生地層５’に交換し、図４（ｃ）は両側の部分１ａ，１ｂの交換を完了した状態を示している。
【００３２】
また、本実施形態の便座シート１では、基材４および生地層５は、その表面側から見て、左右一対で、線対称のノの字状に形成されている。これによって、基材４における表裏両面の粘着層６，７が同じもの（材料や製造工程が等しい）であったり、基材４自体も全体が均一に形成されるなどして、基材４の天地が任意である場合、ノの字状の単一の型を用いて２枚の基材４を型抜きし、一方をひっくり返すことで、一対の部分１ａ，１ｂの便座シート１のための基材４を作成することができる。したがって、型を共用し、基材４のコストを削減することができる。生地層５についても、生地をひっくり返して型抜き（裁断）可能であれば、一対の部分１ａ，１ｂについて、同じ型を共用することができる。
【００３３】
なお、基材４は、その出荷時には、粘着層６，７上に、それぞれ離型フィルム８，９が貼付けられており、図２は、この出荷時の状況を示している。したがって、便座２および生地層５との貼付けの際に、これらの離型フィルム９，８が剥がされる。なお、出荷時から、粘着層６側の離型フィルム８が剥がされて、１つの生地層５が貼付けられていてもよい。
【００３４】
そして、販売にあたっては、両側の部分１ａ，１ｂを１組として、基材４と生地層５とが個別に販売されてもよく、１組の基材４と生地層５とのセットで販売されてもよい。或いは、複数組の基材４と生地層５とのセットで販売されてもよく、その場合は、共通に使用できる基材４が少なく、生地層５が多くセットされてもよい。
【００３５】
基材４と生地層５との粘着には、前記粘着層６と接合膜との組合わせではなく、面ファスナーなどが用いられてもよい。
【符号の説明】
【００３６】
１    便座シート
１ａ，１ｂ    左右の部分
２    便座
２１    座面
３    便器
４    基材
４１    スポンジシート
４２，４３    ポリウレタンフィルム
５ａ，５ｂ，５’    生地層
５１    ベース層
５２    不織布
５３    生地本体
６，７  粘着層
８，９    離型フィルム
【図１】
0003197997.tif 000003
【図２】
0003197997.tif 000004
【図３】
0003197997.tif 000005
【図４】
0003197997.tif 000006